(57)【要約】【課題】この発明は、洗浄した繊維製品に十分な柔軟性、吸水性、低刺激性をもたらす繊維用液状洗剤組成物を提供するものである。【解決手段】この発明の繊維用液状洗剤組成物は、界面活性剤とトリメチルグリシンを含有することを特徴とする。この繊維用液状洗剤組成物は、洗浄した繊維製品に十分な柔軟性、吸水性、低刺激性をもたらす。また、洗剤として使用することができるので、すすぎ時に柔軟剤を添加したり、洗浄後の繊維製品に柔軟剤を霧吹き等で吹きかけたりする必要が無いものである。【選択図】なし【特許請求の範囲】
【請求項１】
界面活性剤とトリメチルグリシンを含有することを特徴とする繊維用液状洗剤組成物。
【請求項２】
界面活性剤がアニオン界面活性剤であることを特徴とする請求項１記載の繊維用液状洗剤組成物。
【請求項３】
アニオン界面活性剤がヤシ油脂肪酸カリウム、ラウリン酸カリウム、ミリスチン酸カリウム、パルミチン酸カリウム、パーム核油脂肪酸カリウムのいずれか１種または複数種を混合したものであることを特徴とする請求項２記載の繊維用液状洗剤組成物
【請求項４】
トリメチルグリシンの含有量が０．１〜２０ｗｔ％であることを特徴とする請求項１乃至３のいずれかに記載の繊維用液状洗剤組成物。
【請求項５】
請求項１乃至４のいずれかに記載の繊維用液状洗剤組成物を用いて洗浄されてなることを特徴とする繊維製品。
【発明の詳細な説明】
【技術分野】
【０００１】
この発明は、繊維用液状洗剤組成物に関するものである。
【背景技術】
【０００２】
繊維用洗剤組成物は、繊維製品（衣類、タオル、シーツなど）を洗濯機等で洗浄する時に、洗濯機内に投入し、使用されている。（例えば特許文献１）
この繊維用洗剤の組成物は、汚れを落とす為の界面活性剤と、洗い終わった繊維製品に柔軟性、吸水性、低刺激性を持たせる為の添加剤からなることが一般的である。
【０００３】
従来の添加剤（主に柔軟剤）として、有機界面活性剤（カチオン系界面活性剤、両性界面活性剤）や高分子化合物（ポリシロキサン系柔軟剤）などが挙げられる。
具体的には、カチオン系界面活性剤として、長鎖アミン塩、第４級アンモニウム塩などがある。両性界面活性剤には、ラウリルピリジニウムラウリルサルフェート、ラウリルピリジニウムラウレートなどがある。ポリシロキサン系柔軟剤には、エポキシ変性オルガノポリシロキサン、アミノ変性オルガノポリシロキサンなどがある。
【０００４】
しかしながら、上述の添加剤（例えば、柔軟剤）を用いたとしても、洗浄した繊維製品に十分な柔軟性等、吸水性、低刺激性をもたらすことはできなかった。
【特許文献１】特開２００７−１６９４３９
【発明の開示】
【発明が解決しようとする課題】
【０００５】
そこでこの発明は、洗浄した繊維製品に十分な柔軟性、吸水性、低刺激性をもたらす繊維用液状洗剤組成物を提供しようとするものである。
【課題を解決するための手段】
【０００６】
前記課題を解決するためこの発明では次のような技術的手段を講じている。
【０００７】
（請求項１記載の発明）
この繊維用液状洗剤組成物は、界面活性剤とトリメチルグリシンを含有することを特徴とする。
トリメチルグリシンを含有させた繊維用液状洗剤組成物は、柔軟性、吸水性、低刺激性について、研究者の予想を遥かに上回る良い結果をもたらした。
【０００８】
（請求項２記載の発明）
この繊維用液状洗剤組成物は、請求項１記載の発明に関し、界面活性剤がアニオン界面活性剤であることを特徴とする。
界面活性剤は、アニオン界面活性剤とするのが好ましい。
（請求項３記載の発明）
この繊維用液状洗剤組成物は、請求項２記載の発明に関し、アニオン界面活性剤が、ヤシ油脂肪酸カリウム、ラウリン酸カリウム、ミリスチン酸カリウム、パルミチン酸カリウム、パーム核油脂肪酸カリウムのいずれか１種または複数種を混合したものであることを特徴とする。
アニオン界面活性剤は、上述したような、植物成分由来のものを使用するのが好ましい。
【０００９】
（請求項４記載の発明）
この繊維用液状洗剤組成物は、請求項１又は２記載の発明に関し、トリメチルグリシンの含有量が０．１〜２０ｗｔ％であることを特徴とする。
トリメチルグリシンの含有量は、
（トリメチルグリシン重量）／（繊維用液状洗剤の総重量）＝０．００１〜０．２
とするのが好ましい。
（請求項５記載の発明）
この繊維製品は、請求項１乃至４のいずれかに記載の繊維用液状洗剤組成物を用いて洗浄されてなることを特徴とする。
繊維製品は、衣類、タオル、シーツ、などを例示することができる。
【発明の効果】
【００１０】
この発明は上述のような構成であり、次の効果を有する。
【００１１】
この繊維用液状洗剤組成物は、洗浄した繊維製品に十分な柔軟性、吸水性、低刺激性をもたらす。また、洗剤として使用することができるので、すすぎ時に柔軟剤を添加したり、洗浄後の繊維製品に柔軟剤を霧吹き等で吹きかけたりする必要が無いものである。
さらに、液状洗剤であることから、トリメチルグリシンがエステル化したものではなく、加水分解による実質的な効能変化が発生する恐れもない。
【発明を実施するための最良の形態】
【００１２】
以下に、これらの発明を実施するための最良の形態として実施例について詳しく説明する。
【実施例】
【００１３】
以下の１〜３に、繊維用液状洗剤組成物の概要を記載し、４〜６に実験内容を記載する。
【００１４】
（１．繊維用液状洗剤について）
この繊維用液状洗剤は、洗浄成分の界面活性剤と、柔軟化成分のトリメチルグリシンとを組成物として含有している。
繊維用液状洗剤の状態としては、液体状、ジェル状のいずれであってもよい。
上述の組成物以外にも、必要に応じて、アニオン界面活性剤、カチオン界面活性剤、ノニオン界面活性剤、両性界面活性剤、アルカリ化剤、ポリシロキサン系柔軟剤、工程剤、ビルダー、溶剤、水軟化剤、金属封鎖剤、再付着防止剤、泡調整剤、香料、防腐剤、酵素、安定化剤、ｐＨ調整剤、着色剤等を液状洗剤に配合することができる。
【００１５】
この繊維用液状洗剤は、繊維製品（衣服、下着、タオル、シーツ、など）の洗浄をすると共に、洗浄した繊維製品を柔軟性、吸水性、低皮膚刺激性のものとすることができる。
そして、洗浄した繊維製品の柔軟性、吸水性、低皮膚刺激性は、研究者の予想を遥かに上回る良い結果であった。
【００１６】
（２．界面活性剤について）
洗浄成分の界面活性剤には、ノニオン界面活性剤、アニオン界面活性剤、両性界面活性剤を用いることができる。ノニオン界面活性剤として、アミンオキサイド類、モノグリセライド類、ソルビタン脂肪酸エステル類、アルキルサッカライド、ポリオキシアルキレンアルキルエーテル、高級脂肪酸アルカノールアミドなどを使用することができる。両性界面活性剤として脂肪酸アミドプロピルベタイン、酢酸ベタイン類、アミドスルホベタイン類、イミダゾリニウムベタイン類などを使用することができる。アニオン界面活性剤として、脂肪酸ナトリウム、脂肪酸カリウム、脂肪酸トリエタノール、アルファオレフィンスルフォン酸塩、アルキルベンゼンスルフォン酸塩、アルキル硫酸塩、アルキルエーテル硫酸エステル塩、アミノ酸系アニオン界面活性剤などを使用することができる。
界面活性剤は、アニオン界面活性剤を用いるのが好ましく、前述したアニオン界面活性剤の中でも、脂肪酸カリウムを用いると、洗浄性、溶解性、低皮膚刺激性が好適なものとなる。
【００１７】
脂肪酸カリウムの中でも特に、ヤシ油脂肪酸カリウム、ラウリン酸カリウム、ミリスチン酸カリウム、パルミチン酸カリウム、パーム核油脂肪酸カリウムは、植物成分由来のものであり、皮膚への刺激が特に低いことから、好ましい。
【００１８】
（３．トリメチルグリシンについて）
柔軟化成分のトリメチルグリシンは、以下に示すものである。
化学的にトリメチルグリシンは、グリシンのアミノ基がトリメチル化され、分子内塩を形成している両イオン性の成分である。
一般的にトリメチルグリシンは、生体の代謝中間物とされており、メチル基の供与体としてメチオニンなどの合成過程に関与していると考えられている。したがって、人体に安全な天然物質である。
【００１９】
例えば、トリメチルグリシンは、砂糖大根、麦芽、キノコ類、果実やエビ、カニ、タコ、イカなど広い範囲の動植物に含まれている。また、他にグリシンベタイン、ベタインという名称で呼ばれている。
本発明においては、市販されているトリメチルグリシンとして、味の素株式会社の商品名「アクアデュウ」、旭化成ケミカルズ株式会社の商品名「アミノコート」を使用した。前述の「アクアデュウ」、「アミノコート」はトリメチルグリシンの一例であって、本願発明はこれらの製品に限定されるものではない。
【００２０】
トリメチルグリシンの配合量は、
（トリメチルグリシン重量）／（液状洗剤の総重量）＝０．００１〜０．２
すなわち、液状洗剤のトリメチルグリシン含有量が０．１〜２０ｗｔ％
とするのが好ましい。
【００２１】
［試験（本願発明の効果について）］
上述の本願発明の効果を調べる為、以下に示す実施例１〜８、比較例ａ〜ｄを試料とし、柔軟性、吸水性、皮膚刺激性に関する試験を行った。
【００２２】
（４．実験試料について）
〔実施例１〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、トリメチルグリシン０．０５ｗｔ％、水と香料６０．９５ｗｔ％を混合し、繊維用液状洗剤を得た。
【００２３】
〔実施例２〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、トリメチルグリシン０．１ｗｔ％、水と香料６０．９ｗｔ％を混合し、繊維用液状洗剤を得た。
【００２４】
〔実施例３〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、トリメチルグリシン１ｗｔ％、水と香料６０ｗｔ％を混合し、繊維用液状洗剤を得た。
【００２５】
〔実施例４〕
ヤシ油脂肪酸カリウム１０ｗｔ％、ヤシ油脂肪酸アルカノールアミド１５ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、トリメチルグリシン５ｗｔ％、水と香料６１ｗｔ％を混合し、繊維用液状洗剤を得た。
【００２６】
〔実施例５〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、トリメチルグリシン５ｗｔ％、水と香料５６ｗｔ％を混合し、繊維用液状洗剤を得た。
【００２７】
〔実施例６〕
ヤシ油脂肪酸カリウム２５ｗｔ％、ヤシ油脂肪酸アルカノールアミド５ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、トリメチルグリシン５ｗｔ％、水と香料５６ｗｔ％を混合し、繊維用液状洗剤を得た。
【００２８】
〔実施例７〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、トリメチルグリシン１０ｗｔ％、水と香料５１ｗｔ％を混合し、繊維用液状洗剤を得た。
【００２９】
〔実施例８〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、トリメチルグリシン２０ｗｔ％、水と香料４１ｗｔ％を混合し、繊維用液状洗剤を得た。
【００３０】
〔比較例ａ〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、水と香料６１ｗｔ％を混合し、繊維用液状洗剤を得た。
【００３１】
〔比較例ｂ〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、アルキルトリメチルアンモニウム塩５ｗｔ％、水と香料５６ｗｔ％を混合し、繊維用液状洗剤を得た。
【００３２】
〔比較例ｃ〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、ラウリルピリジニウムラウリルサルフェート５ｗｔ％、水と香料５６ｗｔ％を混合し、繊維用液状洗剤を得た。
【００３３】
〔比較例ｄ〕
ヤシ油脂肪酸カリウム２０ｗｔ％、ヤシ油脂肪酸アルカノールアミド１０ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、ポリシロキサン５ｗｔ％、水と香料５６ｗｔ％を混合し、繊維用液状洗剤を得た。
【００３４】
（５．評価方法について）
〔洗浄方法〕
上述の、各液状洗剤（実施例１〜８、比較例ａ〜ｄ）をそれぞれ用いて、ＪＩＳ  Ｋ３３６２：１９９８記載の「衣類用合成洗剤の洗浄力評価方法」に準ずる洗浄を行った。
【００３５】
〔柔軟性試験〕
洗浄した繊維を手で触って柔軟性を官能評価した。柔軟性の判定は、下記の基準で評価し、表１に記載した。
◎：とても柔らかく非常に良好
○：柔らかさが良好
×：硬さが残る
【００３６】
〔吸水性試験〕
洗浄した繊維に水を数滴落とし、吸水性の評価をした。吸水性の判定は、下記の基準で評価した。
◎：吸水性が非常に良好
○：吸水性がやや良好
×：なかなか水を吸わない、又は全く吸わない
【００３７】
〔皮膚刺激性試験〕
液状洗剤（実施例１〜８、比較例ａ〜ｄ）を水で１００倍に希釈し、濃度が１％となったそれぞれの液状洗剤水溶液を含浸させたろ紙を作成した。
前記ろ紙を、被験者（健康な成人２５人）の上背に貼付し、２４時間後の皮膚の様子を目視で観察して評価した。
◎：炎症が少しでも見られたものが０〜１人
○：炎症が少しでも見られたものが２〜４人
×：炎症が少しでも見られたものが５人以上
【００３８】
（６．試験結果について）
前述の試験結果を表１に示す。
【００３９】
【表１】
2009155482.tif 000002
【００４０】
表１から明らかであるように、本発明の繊維用液状洗剤組成物を用いて洗浄した繊維製品は、柔軟性、吸水性、低皮膚刺激性（皮膚への刺激が少ない）であることがわかる。
【００４１】
〔実施例１の試験結果〕
トリメチルグリシンの含有量を０．０５ｗｔ％とした実施例１の繊維用液状洗剤組成物は、「柔らかさが良好、吸水性がやや良好、炎症が少しでも見られたものが２〜４人」という結果であった。
【００４２】
〔実施例２〜８の試験結果〕
トリメチルグリシンの含有量を０．１〜２０ｗｔ％とした実施例２〜８の繊維用液状洗剤組成物は、「とても柔らかく非常に良好、吸水性が非常に良好、炎症が少しでも見られたものが０〜１人」という結果であった。
【００４３】
〔比較例ａ〜ｄの試験結果〕
トリメチルグリシンを含有しない比較例ａ〜ｄの繊維用液状洗剤組成物は、「硬さが残る、なかなか水を吸わない、又は全く吸わない、炎症が少しでも見られたものが５人以上」のいずれかかの問題点を有する結果であった。
【００４４】
〔総合評価〕
上述の結果より、トリメチルグリシンの含有量が０．１〜２０ｗｔ％であると好ましい。
全体の配合として、ヤシ油脂肪酸カリウム１０〜２５ｗｔ％、ヤシ油脂肪酸アルカノールアミド５〜１５ｗｔ％、アルカリ剤（炭酸カリウム）３ｗｔ％、キレート剤（エデト酸）１ｗｔ％、ポリエチレングリコール３ｗｔ％、プロピレングリコール２ｗｔ％、トリメチルグリシン０．１〜２０ｗｔ％、水と香料を残部、とする繊維用液状洗剤が好ましい。